(57)【要約】【課題】掛かった魚をすくうためのタモに用いられるタモ枠の改良。魚がすくわれる際に、釣糸の絡みを防止して掛かった魚を迅速にすくうことができるタモ枠の提供。すくった魚及び仕掛けを迅速に取り外すことができるタモ枠の提供。【解決手段】タモ枠１３は、柄部１１の先端に取り付けられる。タモ枠１３は、環状枠部１６及び延設部１７を備える。タモ網１５は、タモ枠１３に引っ掛けられた状態で取り付けられる。延設部１７は、細長の略Ｕ字状に形成され、環状枠部１６の先端部２３に連続して形成されている。延設部１７は、溝部１８を構成し、溝部１８の幅寸法ａ及び長さ寸法ｂは、所定寸法に設定される。延設部１７は、環状枠部１６から下方に延びている。【選択図】  図１
2004159616.tif 000002
【特許請求の範囲】
【請求項１】
釣糸が連結された釣針に掛かった魚をすくうためのタモに採用されるタモ枠であって、
上記釣針と共に魚がすくわれた際に、上記釣糸が上記タモの内側から外側へ挿通される釣糸挿通部を備えているタモ枠。
【請求項２】
タモの柄の先端に取り付けられるタモに採用されるタモ枠であって、
所定平面上で略環状に形成された環状枠部と、
環状枠部の所定位置に上記所定平面に交差する方向に延設され、当該環状枠部が当該方向に延びる細長溝を構成するように略Ｕ字状に形成された延設部とを備えているタモ枠。
【請求項３】
上記釣糸挿通部は、少なくともタモの前方に設けられている請求項１記載のタモ枠。
【請求項４】
上記延設部は、少なくとも環状枠部の前方に設けられている請求項２記載のタモ枠。
【請求項５】
外面が滑面に仕上げられ、上記釣糸を上記釣糸挿通部に案内する案内部材をさらに備えている請求項１又は３記載のタモ枠。
【請求項６】
上記環状枠部は、
タモ枠に取り付けられた網を挟んだ状態で当該環状枠部に着脱自在に装着され、且つその外面が滑面に仕上げられた滑面部材を備えている請求項２又は４記載のタモ枠。
【発明の詳細な説明】
【０００１】
【発明の属する技術の分野】
この発明は、釣り（特に船釣り等）の際に、掛かった魚をすくうためのタモに関し、詳しくは、タモに採用されるタモ枠に関するものである。
【０００２】
【従来の技術及び発明が解決しようとする課題】
魚釣りの際に魚が掛かったときは、釣人は、水面まで魚を浮かせた後、タモを用いて当該魚をすくって取り込む。
タモは、一般に図８が示すような構造である。すなわち、タモＴは、タモの柄と称される柄部材Ｔｂの先端に取り付けられて使用される（例えば、非特許文献１参照）。タモＴは、タモ枠１と、これに取り付けられた網２とを有する。タモ枠１には、ねじが形成された係合部３が設けられており、この係合部３が柄部材Ｔｂの先端部にねじ込まれることにより、タモＴが柄部材Ｔｂに固定される。
【０００３】
ところで、特に船釣りの場合は、例えば、図９が示すような胴突仕掛けと称される仕掛けが使用されることがある。この胴突仕掛け４では、基本となる幹糸５に枝糸６が複数連結されており、各枝糸６の先端に釣針Ｈが結び付けられている。また、一般に、幹糸５の上端部に重錘７が装着される。
このような胴突仕掛け４では、複数の釣針Ｈに魚が掛かる場合もあり、その場合には、釣人は、タモＴを用いて順番に掛かった魚をすくう。
【０００４】
図１０は、タモを用いて魚をすくう要領を示している。
同図が示すように、釣人は、胴突仕掛け４の最も上方で掛かっている魚８をすくった後、順次下方で掛かっている魚９をすくう。このとき、各釣針Ｈには枝糸６が連結されているから、タモ１の中に枝糸６及び幹糸５が魚８等と共に乱雑に入る。釣人は、魚をすくった後に魚から釣針Ｈを外すが、このときに、タモＴの中で乱れている枝糸６及び幹糸５が釣針Ｈに引っ掛かったり、絡んだりすることがある。そのような場合に、釣人は、枝糸６の絡み等を除去しなければならず、煩わしい作業を強いられ、釣りを円滑に行うことができない。
また、同図が示すように、釣人が魚をすくったときには、幹糸５は、タモ枠１の縁に掛け回されるように配置されることになるから、一旦タモＴに収まった魚８等が幹糸５に引っ張られてタモＴから飛び出してしまうおそれもある。
【０００５】
【非特許文献１】
株式会社シマノ  ２００２  Ｆｉｓｈｉｎｇ  Ｔａｃｋｌｅ  Ｃａｔａｌｏｇｕｅ（第６１〜６２頁）
【０００６】
そこで、本発明の目的は、タモによって魚がすくわれる際に、糸の絡みを防止して掛かった魚を迅速にすくうことができると共に、すくった魚及び仕掛けを迅速に取り外すことができるタモ枠を提供することである。
【０００７】
【課題を解決するための手段】
（１）  本願発明者は、釣人が掛かった魚をすくうときに、当該魚のみがタモの中に入り、仕掛け（特に釣糸）はタモの外に出るような構造が実現されれば上記目的を達成することができると考えた。
（２）  そこで、本願に係るタモ枠は、釣糸が連結された釣針に掛かった魚をすくうためのタモに採用されるタモ枠であって、上記釣針と共に魚がすくわれた際に、上記釣糸が上記タモの内側から外側へ挿通される釣糸挿通部を備えていることを特徴とするものである。
【０００８】
魚が掛かった状態では、釣人から見て、釣竿の先端、釣糸、釣針及び釣針に掛かった魚は、順に略直線上に並ぶので、釣人がタモにより当該魚をすくったときは、魚がタモの網の中に収容され、当該魚から釣糸がさらに延びる状態となる。
このとき、タモ枠に釣糸挿通部が設けられているから、魚から延びた釣糸は、釣糸挿通部に挿通される。これにより、当該釣糸は、タモの内側から外側へまっすぐに引き出された状態となり、タモの内部で釣糸が絡み合うことはない。また、上記魚がタモに収容された状態で釣糸が引っ張られた場合であっても、当該釣糸がタモ枠に巻き掛けられた状態となっていないので、当該魚が外部に引き出されることもない。
【０００９】
（３）  また、本願に係るタモ枠は、タモの柄の先端に取り付けられるタモに採用されるタモ枠であって、所定平面上で略環状に形成された環状枠部と、環状枠部の所定位置に上記所定平面に交差する方向に延設され、当該環状枠部が当該方向に延びる細長溝を構成するように略Ｕ字状に形成された延設部とを備えたことを特徴とするものである。
【００１０】
魚が掛かった状態では、釣人から見て、釣竿の先端、釣糸、釣針及び釣針に掛かった魚は、順に略直線上に並ぶので、釣人がタモにより当該魚をすくったときは、魚がタモの網の中に収容され、当該魚から釣糸がさらに延びる状態となる。
このとき、タモ枠に延設部が設けられているから、魚から延びた釣糸は、延設部によって構成される細長溝を通ってタモの内側から外側へまっすぐに引き出された状態となる。これにより、タモの内部で釣糸が絡み合うことはない。また、上記魚がタモに収容された状態で釣糸が引っ張られた場合であっても、当該釣糸がタモ枠に巻き掛けられた状態となっていないので、当該魚が外部に引き出されることもない。
【００１１】
（４）  上記釣糸挿通部又は上記延設部は、少なくともタモの前方に設けられているのが好ましい。
一般に釣人が掛かった魚をすくう際には、タモの先端（前端）を当該魚に向ける。上記釣糸挿通部又は延設部の位置、個数は、特に限定されるものではないが、これらがタモの前方に設けられることにより、釣人が魚をすくった際に、釣糸は、釣糸挿通部又は延設部によって構成される細長溝に簡単に挿通される。
【００１２】
（５）  さらに、外面が滑面に仕上げられ、上記釣糸を上記釣糸挿通部に案内する案内部材が備えられていてもよい。又は、上記環状枠部は、タモ枠に取り付けられた網を挟んだ状態で当該環状枠部に着脱自在に装着され、且つその外面が滑面に仕上げられた滑面部材を備えていてもよい。
この構成では、案内部材又は滑面部材により、上記釣糸は、タモ枠ときわめて滑らかに接触する。したがって、釣糸は、タモ枠に引っ掛かることなく、一層容易に上記釣糸挿通部又は上記細長溝に挿通される。
【００１３】
【発明の実施の形態】
以下、適宜図面が参照されつつ、好ましい実施形態に基づいて本発明が詳細に説明される。
【００１４】
＜第１の実施形態＞
図１は、本発明の第１の実施形態に係る陸揚用すくい上げ具１０の要部斜視図である。
陸揚用すくい上げ具１０は、例えば船釣りの際に掛かった魚をすくうためのものであって、柄部１１と、柄部１１の先端に取り付けられたタモ１２とを備えている。釣人は、柄部１１を把持し、タモ１２を操作することによって魚をすくう。
本実施形態の特徴とするところは、タモ１２の構造にあり、タモ１２を構成するタモ枠１３が後述される形状に形成されている点である。
【００１５】
柄部１１は、細長棒状に形成されている。同図では、柄部１１は、単一の部材により構成されているが、複数の棒状部材により構成されていてもよい。一般的には、柄部は、それぞれ外径及び内径の異なる４本乃至５本の筒状部材から構成され、これらが振出式に組み立てられることによって伸縮自在な柄部が構成される。
また、本実施形態に係る柄部１１の先端部には、軸方向に沿って係合凹部（図示せず）が設けられている。この係合凹部は、上記タモ１２を取り付けるためのものである。具体的には、係合凹部の内面に雌ねじが形成されており、これにタモ１２の取付軸部１４がねじ込まれるようになっている。もっとも、タモ１２が柄部１１と一体的に形成されていてもよい。
【００１６】
タモ１２は、タモ枠１３とタモ網１５とを備えている。
タモ枠１３は、例えばステンレス鋼、チタン合金、アルミニウム合金等の金属のほか、樹脂等により構成される。タモ枠１３は、環状枠部１６と、これに延設された延設部１７とを有しており、これらは一体的に形成されている。
【００１７】
図２は、タモ枠１５の拡大正面図である。
環状枠部１６は、上記取付軸部１４を備えており、これと共に一体的に形成されている。なお、取付軸部１４は、雄ねじが形成された係合ピン（図示せず）を有しており、この係合ピンが上記柄部１１の係合凹部にねじ込まれている。
環状枠部１６は、略環状に形成されている。詳しくは、環状枠部１６は、一定の平面上（図１及び図２においては、水平面上）に沿って略円形に湾曲形成されている。環状枠部１６の内径は、４００ｍｍ〜６００ｍｍの範囲で適宜設定され得るものである。なお、環状枠部１６の形状は、略円形に限定されるものではなく、略多角形状に形成されていてもよい。
【００１８】
環状枠部１６に連続して上記延設部１７が連続的に形成されている。この延設部１７は、細長の略Ｕ字状に形成されている。延設部１７がこのような形状に形成されているから、延設部１７には、細長の溝部１８（釣糸挿通部）が構成される。この溝部１８は、後に詳述されるが、釣糸をタモ１２の内部から外部へ挿通し得るものである。
なお、溝部１８の溝幅寸法ａは、５．０ｍｍ〜３０．０ｍｍの範囲で適宜設定され得るものであり、溝長さ寸法ｂは、５０．０ｍｍ〜３００．０ｍｍの範囲で適宜設定され得るものである。
この延設部１７は、環状枠部１６に対して略直交するように延設されている。詳しくは、延設部１７は、上記水平面に直交する平面上に沿って配置されており、これにより、上記溝部１８は、図１及び図２において、略鉛直方向に沿って延びている。
【００１９】
延設部１７は、タモ枠１６の先端部２３、すなわち、タモ１２の前端部に設けられている。延設部１７がタモ枠１６の先端部２３に設けられることによる作用効果については後述される。
また、本実施形態では、延設部１７は、唯一設けられているだけであるが、タモ枠１６の周方向に沿って複数設けられていてもよい。延設部１７が複数設けられることによる作用効果については後述される。
なお、タモ網１５は、既知の構成であり、ナイロン糸、綿糸等が編み込まれて形成されている。タモ網１５は、全体として開口を有する袋状に形成されている。上記環状枠部１６及び延設部１７は、タモ網１５の開口縁部に沿って挿通されており、これにより、タモ網１５がタモ枠１３に取り付けられている。
【００２０】
本実施形態に係る陸揚用すくい上げ具１０は、次のようにして使用される。
図３は、例えば、胴突仕掛けを使用した船釣りにおける陸揚用すくい上げ具１０の使用要領を示している。
魚１９，２０が掛かったときには、釣人は釣竿及び釣用リールを使用して魚１９，２０を水面まで浮かせる。水面付近まで魚１９，２０が浮上したときは、釣人は、柄部１１を操作し、タモ１２によって魚１９，２０をすくう。
【００２１】
一般に、魚が掛かった状態では、釣人から見て、釣竿の先端、釣糸、釣針及び釣針に掛かった魚は、順に略直線上に並ぶ。このため、釣人がタモ１２により魚１９，２０をすくうときは、まず、魚１９がタモ網１５の中に収容され、続いて当該魚１９から延びる釣糸２１（魚１９に掛かった釣針に連結された釣糸）及び魚２０が順にタモ網１５の中に収容される。さらに、魚２０から釣糸２２（魚２０に掛かった釣糸）が延びる。
このとき、タモ枠１３には溝部１８（図１参照）が形成されているので、魚２０から延びた釣糸２２は、溝部１８に挿通される。これにより、釣糸２２は、タモ１２の内部から外部へタモ網１５を貫通した状態で引き出された状態となるから、タモ１２の内部で釣糸２１，２２が絡み合うことはない。
【００２２】
また、釣人が魚１９，２０を順にすくう際に、まず魚１９がタモ１２に収容されたときに、例えば魚２０が暴れることによって、あるいは胴突仕掛けの重錘の重量が作用することによって、釣糸２２が引っ張られた場合であっても、釣糸２２が従来のように環状枠部１６に巻き掛けられた状態となっていないので、魚１９が環状枠部１６を乗り越えてタモ１２の外部に引っ張り出されることもない。
加えて、溝部１８の溝幅寸法ａ及び溝長さ寸法ｂが上記のように設定されているから、一旦溝部１８に挿通された釣糸２１，２２が簡単に溝部１８から外れてしまうことはない。
【００２３】
したがって、釣人は、掛かった魚１９，２０を順に容易にすくうことができ、しかも、タモ１２に魚１９，２０を収容した状態で魚から釣針を簡単に外すことができる。
特に、本実施形態では、上記溝部１８は、略Ｕ字状に形成された延設部１７によって構成されるから、タモ枠１３の構造が複雑になることなく、簡単に溝部１８が構成される。その結果、タモ枠１３の製造コストが大幅に上昇することがないという利点がある。
【００２４】
また、本実施形態では、上記延設部１７及びこれにより構成される上記溝部１８は、タモ１２の前端部に設けられている。
一般に、釣人が掛かった魚をすくう際には、タモの先端（前端）を当該魚に向ける。したがって、上記溝部１８がタモ１２の前端部に設けられることにより、釣人が魚１９，２０をすくった際に、釣糸２１，２２は、溝部１８に自然に挿通される。これにより、釣人は釣糸２１，２２の位置に注意することなく、魚をより簡単にすくうことができる。
特に、上記延設部１７が複数設けられた場合には、釣人が魚１９，２０をすくったときに、仮に釣糸２１，２２が側方へ移動してしまっても、釣糸２１，２２は、自然に延設部１７によって構成される溝部１８に挿通することができる。その結果、上記魚をすくう作業がより一層簡単なものとなる。
【００２５】
＜第２の実施形態＞
次に、本発明の第２の実施形態について説明される。
図４は、本発明の第２の実施形態に係る陸揚用すくい上げ具３０の要部斜視図である。
本実施形態に係る陸揚用すくい上げ具３０が上記第１の実施形態に係る陸揚用すくい上げ具１０と異なるところは、タモ枠３３の構成であって、このタモ枠３３は、上記第１の実施形態に係るタモ枠１３に後述の案内部材３４（滑面部材）が装着されている点である。なお、その他の構成については、上記第１の実施形態に係る陸揚用すくい上げ具１０と同様である。
【００２６】
図４が示すように、案内部材３４は、断面が半円形の棒状部材である。この半円の直径は、環状枠部１６を構成する部材の断面形状に対応されており、案内部材３４は、環状部材１６に被せられるようにして取り付けられるようになっている。また、案内部材３４は、所定の円弧状に湾曲形成されている。当該円弧の曲率半径は、環状に形成された環状枠部１６の曲率半径に対応されている。案内部材３４は、一対設けられており、各案内部材３４は、延設部１７の両側に配置される。
【００２７】
案内部材３４は、ポリブチレンテレフタレート（ＰＢＴ）、ナイロン等により構成されている。もっとも、案内部材３４の材料はこれに限定されるものではなく、その他の樹脂、金属等が採用され得る。案内部材３４の材料に要求されることは、釣糸２１，２２と接触した場合に、案内部材３４と釣糸２１，２２との間の摩擦係数が小さいことである。ただし、材料の物性として釣糸２１，２２との摩擦係数が小さいことが絶対的に要求されることではなく、例えば案内部材３４の上面３５が研磨され滑面に形成されていれば十分である。その場合、案内部部材３４の表面に所要の塗装処理が行われることにより、上面３５が滑面に形成されていてもよい。
【００２８】
図５は、タモ網１５が装着された状態でのタモ枠３３の拡大正面図である。
案内部材３４は、図４が示すように、環状枠部１６の上方から当該環状枠部１６に被せるように取り付けられる。このとき、案内部材３４は、図５が示すように、タモ網１５を被うように着脱自在に取り付けられる。つまり、タモ網１５は、環状枠部１６と案内部材３４とによって挟持される。
したがって、案内部材３４が取り付けられたときは、タモ枠３３の先端部近傍に案内部材３４が配置され、案内部材３４の滑らかな上面（滑面）が露出する。
【００２９】
本実施形態に係る陸揚用すくい上げ具３０では、案内部材３４が設けられ、その上面３５がタモ１２の前端部上側に露出するから、釣人が魚１９，２０をすくう際に、上記釣糸２１，２２がタモ枠３３ときわめて滑らかに接触する。したがって、釣糸２１，２２は、タモ枠３３に引っ掛かることなく、一層容易に上記溝部１８に挿通される。
その結果、釣人が魚をすくうときに釣糸２１，２２の絡みつき等が一層効果的に回避され、いわゆるタモ入れ作業がより一層簡単で且つ確実に行われる。
また、本実施形態では、案内部材３４は、タモ枠３３の先端部近傍（溝部１８の近傍）にのみ配置されているが、環状枠部１６の全周にわたって配置されてもよい。その場合には、釣糸２１，２２のタモ枠３３への引っ掛かりが確実に回避されるという利点がある。
【００３０】
上記各実施形態では、延設部１７が環状枠部１６に対して略直交するように延設されているが、環状枠部１６に対する延設部１７の角度は略直角に限定されるものではなく、延設部１７が環状枠部１６の先端方向へ突出するように傾斜されていてもよい。
【００３１】
さらに、図６は、上記各実施形態に関する変形例に係るタモ枠３８の拡大正面図である。
この変形例に係るタモ枠３８が上記各実施形態に係るタモ枠１３，３３と異なるところは、上記各実施形態では、環状枠部１６が水平面に沿うように環状に形状されているが（図２及び図５参照）、本変形例では、環状枠部３９が正面視において略Ｖ字状に形成されている点である。
環状枠部３９がかかる形状に形成されることにより、環状枠部３９の上縁部４０は、角度θだけ傾斜され、溝部１８から上方へ漏斗状に延設されることになる。したがって、釣人が魚１９，２０をすくう際に、釣糸２１，２２が環状枠部３９の上縁部４０に当接した場合には、当該釣糸２１，２２は、環状枠部３９の上縁部４０によって上記溝部１８へ案内され、釣糸２１，２２は、確実に溝部１８へ挿通される。これにより、釣糸２１，２２の絡みつきや、すくわれた魚１９，２０がタモ枠３８から引っ張り出されることがより確実に防止されるという利点がある。
【００３２】
また、図７は、上記各実施形態に関する他の変形例に係るタモ枠４５の拡大正面図である。
この変形例に係るタモ枠４５が上記タモ枠３８と異なるところは、上記変形例では、延設部１７が略Ｕ字状に形成されているが、本変形例では、延設部４６が略Ｖ字状に形成されている点である。これにより、延設部４６によって構成される溝部４７は開口部４８が拡げられた略Ｖ字状に形成されている。
このように、溝部４７が略Ｖ字状に形成されることにより、釣糸２１，２２は、開口部４８から溝部４７へ一層容易に挿通されることができるという利点がある。
【００３３】
【発明の効果】
以上のように本発明によれば、釣人が魚をタモに収容したときに、魚に掛かった釣針から延びる釣糸は、タモの内側から外側へ真っすぐに引き出されるから、、タモの内部で釣糸が絡んだり、魚が外部へ引き出されることもない。したがって、釣人は、掛かった魚を容易にすくうことができ、しかも、タモに魚を収容した状態で魚から針を外すことも簡単となる。
【図面の簡単な説明】
【図１】図１は、本発明の第１の実施形態に係る陸揚用すくい上げ具の要部斜視図である。
【図２】図２は、本発明の第１の実施形態に係るタモ枠の拡大正面図である。
【図３】図３は、本発明の第１の実施形態に係る陸揚用すくい上げ具の使用要領を示している。
【図４】図４は、本発明の第２の実施形態に係る陸揚用すくい上げ具の要部斜視図である。
【図５】図５は、本発明の第１の実施形態に係るタモ枠の拡大正面図である。
【図６】図６は、本発明の各実施形態に関する変形例に係るタモ枠の拡大正面図である。
【図７】図７は、従来の一般的なタモの斜視図である。
【図８】図８は、従来の一般的な胴突仕掛けの模式図である。
【図９】図９は、従来の一般的なタモの使用要領を示す図である。
【図１０】図１０は、従来のタモによる魚をすくう作業を示す図である。
【符号の説明】
１０・・・陸揚用すくい上げ具
１１・・・柄部
１２・・・タモ
１３・・・タモ枠
１５・・・タモ網
１６・・・環状枠部
１７・・・延設部
１８・・・溝部
２１・・・釣糸
２２・・・釣糸
２３・・・先端部
３０・・・陸揚用すくい上げ具
３３・・・タモ枠
３４・・・案内部材
３５・・・上面
３８・・・タモ枠
３９・・・環状枠部
４５・・・タモ枠
４６・・・延設部
４７・・・溝部
４８・・・開口部
【図１】
2004159616.tif 000003
【図２】
2004159616.tif 000004
【図３】
2004159616.tif 000005
【図４】
2004159616.tif 000006
【図５】
2004159616.tif 000007
【図６】
2004159616.tif 000008
【図７】
2004159616.tif 000009
【図８】
2004159616.tif 000010
【図９】
2004159616.tif 000011
【図１０】
2004159616.tif 000012